(57)【要約】【課題】上下方向に積み重ねることで増設して使用可能なオプション給紙装置において、給紙カセット内の用紙が盗まれることを防止するだけでなく、オプション給紙装置ごと盗まれることを防止する。【解決手段】オプション給紙カセットは、鍵によって解錠状態と施錠状態とに切替え可能な鍵装置５０と、係合部材６２を有すると共に鍵装置５０の動作に連動して該係合部材６２を変位させるロック機構６０とを有し、ロック機構６０は、給紙カセット４０が本体ケース部３０に収納された状態において、上記鍵装置５０が施錠状態になると、係合部材６２を、画像形成装置に形成された被係合部１１１ｄに係合するロック位置に位置させる一方、鍵装置５０が解錠状態になると、係合部材６２を、該係合が解除されたアンロック位置に位置させる。【選択図】図８
2020117385.tif 000002
【特許請求の範囲】
【請求項１】
本体ケース部と、該本体ケース部内に出し入れ可能に収納される給紙カセットとを備えていて、画像形成装置の下側に増設されるオプション給紙装置であって、
上記給紙カセットは、鍵によって解錠状態と施錠状態とに切替え可能な鍵装置と、係合部材を有すると共に上記鍵装置の動作に連動して該係合部材を変位させるロック機構とを有し、
上記ロック機構は、上記給紙カセットが上記本体ケース部に収納された状態において、上記鍵装置が施錠状態になると、上記係合部材を、上記画像形成装置に形成された被係合部に係合するロック位置に位置させることで、上記給紙カセットを引き出し不能にロックするとともに当該オプション給紙装置を上記画像形成装置から取外し不能にロックする一方、上記鍵装置が解錠状態になると、上記係合部材を、該係合が解除されたアンロック位置に位置させるように構成されている、オプション給紙装置。
【請求項２】
本体ケース部と、該本体ケース部内に出し入れ可能に収納される給紙カセットとを備えていて、上下方向に積み重ねることで増設可能なオプション給紙装置であって、
上記給紙カセットは、鍵によって解錠状態と施錠状態とに切替え可能な鍵装置と、係合部材を有するとともに上記鍵装置の動作に連動して該係合部材を変位させるロック機構とを有し、
上記本体ケース部は、上記係合部材に係合可能な被係合部を有し、
上記ロック機構は、上記給紙カセットが上記本体ケース部に収納された状態において、上記鍵装置が施錠状態になると、上記係合部材を、隣接する上側のオプション給紙装置の本体ケース部の被係合部に係合するロック位置に位置させることで、当該オプション給紙装置の給紙カセットを引き出し不能にロックするとともに当該オプション給紙装置を上記隣接する上側のオプション給紙装置から取外し不能にロックする一方、上記鍵装置が解錠状態になると、上記係合部材を、上記係合が解除されたアンロック位置に位置させるように構成されている、オプション給紙装置。
【請求項３】
請求項１又は２記載のオプション給紙装置において、
上記鍵装置は、上記鍵が挿入される鍵穴を有する内筒と、該内筒を回転自在に支持する外筒とを有するシリンダー錠であって、上記施錠状態から上記内筒を上記鍵によって所定角度回転させることで上記解錠状態に切替わるように構成され、
上記係合部材は、上記内筒に対して回転一体に連結されている、オプション給紙装置。
【請求項４】
請求項３記載のオプション給紙装置において、
上記給紙カセットは、上記本体ケース部に対して水平方向に引き出し可能とされ、
上記被係合部は、上下方向に貫通する被係合孔であり、
上記係合部材は、上記ロック位置にある状態で上記被係合孔を上下方向に貫通するように形成された水平移動規制部と、当該状態で該水平移動規制部の先端部から水平に突出して上記被係合孔の周縁に引っ掛かるように形成された上下移動規制部と、を有している、オプション給紙装置。
【請求項５】
請求項４記載のオプション給紙装置において、
上記シリンダー錠の内筒の軸心は、上記給紙カセットの引き出し方向に一致しており、
上記係合部材の水平移動規制部は、該係合部材が上記ロック位置にある状態で板幅方向が給紙カセットの幅方向に一致するように形成された矩形板部であり、
上記係合部材の上下移動規制部は、該係合部材が上記ロック位置に状態で上記矩形板部の上端縁の全縁から水平に突出する突出板部である、オプション給紙装置。
【請求項６】
請求項５記載のオプション給紙装置において、
上記被係合孔は、
上記係合部材が上記ロック位置にあるときに該係合部材の水平移動規制部が貫通する第一貫通孔と、
上記第一貫通孔に対して、上記給紙カセットの幅方向に隣接して配置され、該第一貫通孔に連続的に繋がる第二貫通孔とを含み、
上記第二貫通孔は、上記係合部材が上記ロック位置とアンロック位置との間で移動する際に上記突出板部の通過を許容するように形成されている、オプション給紙装置。
【請求項７】
請求項１乃至６のいずれか一項に記載のオプション給紙装置において、
上記係合部材及び上記被係合部は、上記給紙カセットの幅方向の中央部に対応する位置に設けられている、オプション給紙装置。
【請求項８】
請求項１乃至７のいずれか一項に記載のオプション給紙装置が装着された画像形成装置。
【発明の詳細な説明】
【技術分野】
【０００１】
本発明は、オプション給紙装置及び画像形成装置に関する。
【背景技術】
【０００２】
ファクシミリやプリンタ、複写機等の画像形成装置は、装置本体の下部に給紙装置を備えている。給紙装置は、偏平な矩形箱状の本体ケース部と、該本体ケース部に対して引き出し可能に収容される給紙カセットとを有している。本体ケース内には、給紙カセットに収容された用紙を給紙するための給紙機構が設けられている。
【０００３】
この種の画像形成装置として、オプションの給紙装置を標準装備の給紙装置の下側に積み重ねて増設可能にしたものが知られている（例えば、特許文献１参照）。
【先行技術文献】
【特許文献】
【０００４】
【特許文献１】特開２００７−３０８２１０号公報
【発明の概要】
【発明が解決しようとする課題】
【０００５】
上記画像形成装置は、例えば、コンビニエンスストアなどの公共の場所に設置されて不特定多数のユーザーに利用される場合がある。この場合、悪意の第三者が給紙カセットを引き出して該給紙カセット内の用紙を盗む虞がある。
【０００６】
これに対して、給紙カセットにロック機構を設けることが考えられる。しかし、特許文献１に示すように、オプションの給紙装置を積み重ねて増設可能な画像形成装置においては、給紙カセットをロックしたとしても、給紙装置を持ち運び可能な単位で（例えば1つだけ）取外すことで給紙装置ごと盗まれる虞がある。
【０００７】
本発明は、かかる点に鑑みてなされたものであり、その目的とするところは、給紙カセット内の用紙が盗まれることを防止するだけでなく、オプション給紙装置が持ち運び可能な単位で取り外されて給紙装置ごと盗まれることを防止することにある。
【課題を解決するための手段】
【０００８】
本発明の一局面に係るオプション給紙装置は、本体ケース部と、該本体ケース部内に出し入れ可能に収納される給紙カセットとを備えていて、画像形成装置の下側に増設される。
そして、上記給紙カセットは、鍵によって解錠状態と施錠状態とに切替え可能な鍵装置と、係合部材を有すると共に上記鍵装置の動作に連動して該係合部材を変位させるロック機構とを有し、上記ロック機構は、上記給紙カセットが上記本体ケース部に収納された状態において、上記鍵装置が施錠状態になると、上記係合部材を、上記画像形成装置に形成された被係合部に係合するロック位置に位置させることで、上記給紙カセットを引き出し不能にロックするとともに当該オプション給紙装置を上記画像形成装置から取外し不能にロックする一方、上記鍵装置が解錠状態になると、上記係合部材を、該係合が解除されたアンロック位置に位置させるように構成されている。
【０００９】
本発明の他の局面に係るオプション給紙装置は、本体ケース部と、該本体ケース部内に出し入れ可能に収納される給紙カセットとを備えていて、上下方向に積み重ねることで増設可能に構成されている。
そして、上記給紙カセットは、鍵によって解錠状態と施錠状態とに切替え可能な鍵装置と、係合部材を有するとともに上記鍵装置の動作に連動して該係合部材を変位させるロック機構とを有し、上記本体ケース部は、上記係合部材に係合可能な被係合部を有し、上記ロック機構は、上記給紙カセットが上記本体ケース部に収納された状態において、上記鍵装置が施錠状態になると、上記係合部材を、隣接する上側のオプション給紙装置の本体ケース部の被係合部に係合するロック位置に位置させることで、当該オプション給紙装置の給紙カセットを引き出し不能にロックするとともに当該オプション給紙装置を上記隣接する上側のオプション給紙装置から取外し不能にロックする一方、上記鍵装置が解錠状態になると、上記係合部材を、上記係合が解除されたアンロック位置に位置させるように構成されている。
【００１０】
本発明の他の局面に係る画像形成装置は、上記オプション給紙装置が装着されている。
【発明の効果】
【００１１】
本発明によれば、紙カセット内の用紙が盗まれることを防止するだけでなく、給紙装置が持ち運び可能な単位で取り外されて給紙装置ごと盗まれることを防止できる。
【図面の簡単な説明】
【００１２】
【図１】図１は、実施形態におけるオプション給紙装置を備えた画像形成装置の概略構成図である。
【図２】図２は、標準給紙装置を含む画像形成装置本体と、オプション給紙装置とを分離した状態を示す概略図である。
【図３】図３は、オプション給紙装置の給紙カセットを示す斜視図である。
【図４】図４は、標準給紙装置及びオプション給紙装置の双方から給紙カセットを抜き取った状態を示す図２相当図である。
【図５】図５は、標準給紙装置（画像形成装置）の下側横フレームに形成された係合孔に、ロック機構の係合部材が係合した状態を示す斜視図である。
【図６】図６は、図５のVI-VI線断面図である。
【図７】図７は、係合部材がアンロック位置にある状態を示す、ロック機構の動作説明図である。
【図８】図８は、係合部材がロック位置にある状態を示す、ロック機構の動作説明図である。
【図９】図９は、他の実施形態を示す図２相当図である。
【図１０】図１０は、他の実施形態を示す図３相当図である。
【発明を実施するための形態】
【００１３】
以下、本発明の実施形態を図面に基づいて詳細に説明する。尚、本発明は、以下の実施形態に限定されるものではない。
【００１４】
［画像形成装置１の全体構成］
図１は、本実施形態の画像形成装置１を示す外観斜視図である。尚、以下の説明において、前側、後側は、画像形成装置１の前側、後側を意味し、左側、右側は、画像形成装置１を前側から見たときの左側、右側を意味するものとする。
【００１５】
画像形成装置１は画像形成装置本体２を有しており、画像形成装置本体２の下端部には給紙装置（以下、標準給紙装置という）１０が標準装備されている。この給紙装置１０は、画像形成装置１に対して着脱不能に固定されている。
【００１６】
標準給紙装置１０は、略矩形箱状の本体ケース部１１と、該本体ケース部１１に対して前側に引出し可能に収容された給紙カセット１２とを有している。
【００１７】
給紙カセット１２は、シート状の用紙（例えば用紙やＯＨＰシート）を束状に積載した状態で収容する。本体ケース部１１の後端部には、給紙カセット１２内に収容された用紙を一枚ずつ分離して画像形成装置本体２に向けて給紙する給紙機構が収容されている。給紙カセット１２の前端面の左右方向の中央部には持手部１２ａが設けられている。給紙カセット１２の前端面の右側端部にはシリンダー錠１３が設けられている。
【００１８】
シリンダー錠１３の鍵穴に鍵を挿入して回転させることで、給紙カセット１２に設けられロック部材１４をロック状態とアンロック状態とに切り替えることができる。ロック状態では、ロック部材１４が本体ケース部１１の右内側面に形成された被係合部（図示省略）に係合することで給紙カセット１２が引き出し不能になる。一方、アンロック状態では、ロック部材１４と該被係合部との係合が解錠されて給紙カセット１２を本体ケース部１１から前側に引き出すことができる。
【００１９】
給紙装置１０の下側にはさらに、オプションの給紙装置２０が着脱可能に設けられている。オプション給紙装置２０は複数段に重ねることで、必要に応じて順次増設可能になっている。オプションの給紙装置２０の詳細は後述する。
【００２０】
画像形成装置本体２内における給紙カセット３の上側の空間内には、標準給紙装置１０又はオプション給紙装置２０より供給される用紙に画像を印刷する画像形成部や、画像形成後の用紙を排出トレイ２ａに排出する搬送機構等が収容されている。画像形成部による印刷方式としては、例えば電子写真方式やインクジェット方式を採用することができる。
【００２１】
上記排出トレイ２ａは、画像形成装置本体２の上面を凹ませて形成されている。画像形成装置本体２の上面の前側且つ右側の隅部には、ユーザーが印刷条件の設定や印刷開始の指示等を行うための操作部２ｂが設けられている。操作部２ｂは、プッシュ式の操作キーや液晶式のタッチパネル等により構成される。
【００２２】
［オプション給紙装置２０の構成］
図２に示すように、オプション給紙装置２０は、標準給紙装置１０の下側に後付けで装着される。この例では、オプション給紙装置２０が一段の例を示しているが、これに限ったものではなく、二段以上であってもよい。
【００２３】
オプション給紙装置２０は、矩形箱状の本体ケース部３０と、該本体ケース部３０に対して前側に引出し可能に収納された給紙カセット４０とを有している。
【００２４】
給紙カセット４０内には、シート状の用紙（例えば用紙やＯＨＰシート）が束状に積載されてセットされている。本体ケース部３０の後端部には、給紙カセット４０内に収容された用紙を一枚ずつ分離して画像形成装置本体２に向けて給紙する給紙機構が収容されている。
【００２５】
給紙カセット４０の前端面の左右方向の中央部には持手部４０ａが設けられている。給紙カセット４０の前端面の右側端部には、シリンダー錠５０（鍵装置の一例）が設けられている。シリンダー錠５０の鍵穴５０ｄ（図５等参照）に鍵を挿入して回転させることで、給紙カセット４０に設けられたロック機構６０を駆動することができる。
【００２６】
このロック機構６０は、給紙カセット４０を収納状態で引出し不能にロックする機能と、給紙カセット４０を含むオプション給紙装置２０を画像形成装置１に対して取外し不能にロックする機能とを併せ持っている。
【００２７】
図３は、オプション給紙装置２０の給紙カセット４０を示す斜視図である。
給紙カセット４０は、カセット本体４１と前側化粧板４２とを有している。カセット本体４１は上側に開放する矩形箱状に形成されている。カセット本体４１の左右の側面には、前後方向に水平に延びるレール板４１ａが突設されている。このレール板４１ａが、本体ケース部３０に設けられたレール面３１ｈ（図４等参照）の上面にスライド可能に支持される。前側化粧板４２は、前側壁４２ａと、前側壁４２ａの上端縁から後側に延びる上壁４２ｂと、左右の側壁４２ｃとを有している。前側壁４２ａの下端部に上記持手部４０ａが凹状に形成されている。前側壁４２ａの右側且つ上側の隅部に上記シリンダー錠５０が取付けられている。
尚、上述した標準給紙装置１０の給紙カセット１２も、オプション給紙装置２０の給紙カセット４０と同様の構成を有している。ここでは、説明を簡略化するために給紙カセット４０のみを代表して図示した。標準給紙装置１０では、レール板４１ａが、本体ケース部１１に設けられたレール面１１１ｇ（図４等参照）の上面にスライド可能に支持される。
【００２８】
図４は、標準給紙装置１０及びオプション給紙装置２０からそれぞれ給紙カセット１２及び給紙カセット４０を抜き取った状態を示す図２相当図である。
この図を参照して、標準給紙装置１０の本体ケース部１１及びオプション給紙装置２０の本体ケース部３０の概略構成を説明する。
【００２９】
図４の上段図を参照して、標準給紙装置１０の本体ケース部１１は、中央ケース部１１１と、中央ケース部１１１を挟んで左右両側に位置する左側ケース部１１２Ｌ及び右側ケース部１１２Ｒとを有している。
【００３０】
中央ケース部１１１は、下側横フレーム１１１ａと下面プレート１１１ｂとを有している。
【００３１】
下面プレート１１１ｂは、前後方向に延びる矩形板状をなしている。下面プレート１１１ｂは、画像形成装置本体２の下面に対向して配置されている。そして、下面プレート１１ｂ１と画像形成装置本体２の下面との間には、給紙カセット１２を収容するための収容空間１１１ｃが形成されている。
【００３２】
下側横フレーム１１１ａは、左右方向に延びる矩形板状に形成されている。下側横フレーム１１１ａは、下面プレート１１１ｂの前端部を支持するフレーム部材として機能する。下側横フレーム１１１ａの右側端部には、後述するロック機構６０の係合部材６２と係合可能な被係合孔１１１ｄが形成されている。
【００３３】
図４の下段図に示すように、本体ケース部３０は、中央ケース部３１と、該中央ケース部３１の左右両側にそれぞれ配置された左側ケース部３２Ｌ及び右側ケース部３２Ｒと、上壁３３とを有している。
【００３４】
中央ケース部３１は、前後方向に長い偏平なフレーム部材である。左側ケース部３２Ｌ及び右側ケース部３２Ｒは、中央ケース部３１の左側壁及び右側壁に沿って前後方向に延びている。
【００３５】
中央ケース部３１の前端部には、左右方向に延びる上側横フレーム３１ａと下側横フレーム３１ｂとが上下方向に間隔を空けて配置されている。上側横フレーム３１ａ及び下側横フレーム３１ｂは、左側ケース部３２Ｌ及び右側ケース部３２Ｒの前端部同士を連結する。下側横フレーム３１ｂは、下面プレート３１ｄの前端部を支持する支持部材としても機能する。下面プレート３１ｄは、左側ケース部３２Ｌ及び右側ケース部３２Ｒの間において前後方向に延びている。下面プレート３１ｄと上壁３３との間には、給紙カセット４０を収容するための収容空間３１ｃが形成されている。
【００３６】
上壁３３における上側横フレーム３１ａの後側に位置する部分は、大きく切欠かれて略六角形状の開口部３３ｂを形成している。ロック機構６０の係合部材６２は、図２に示すように、この開口部３３ｂを通じて上壁３３よりも上側に突出可能になっている。上壁３３の後端部には、左右方向に間隔を空けて並ぶ一対のボス部３３ａが突設されている。この一対のボス部３３ａが画像形成装置１の下面に形成された不図示の位置決め穴に嵌合することで、画像形成装置１に対するオプション給紙装置２０の位置決めがなされる。
【００３７】
［シリンダー錠５０及びロック機構６０の構成］
図５及び図６を参照して、シリンダー錠５０及びロック機構６０の概略構成を説明する。  図５は、図４で説明した標準給紙装置１０の下側横フレーム１１１ａに形成された被係合孔１１１ｄに、ロック機構６０の係合部材６２が係合した状態を示している。この図では、給紙カセット１２を省略している。図６は、図５のVI−VI線断面図である。
【００３８】
図６に示すように、シリンダー錠５０は、外筒５０ａと内筒５０ｂとを有する周知の構成を有している。外筒５０ａは内筒５０ｂを回転自在に支持している。シリンダー錠５０の鍵穴５０ｄに鍵５２を挿入すると、外筒５０ａと内筒５０ｂとに跨って配置されたピンの端面がシャーラインに一致して内筒５０ｂが鍵５２と共に回転可能になる。
【００３９】
本実施形態では、シリンダー錠５０の施錠状態を基準として、鍵穴５０ｄに鍵５２を挿入して内筒５０ｂを９０°（所定角度の一例）回転させた状態を解錠状態と定義する。
【００４０】
上記外筒５０ａの鍵穴５０ｄ側の端部は、他の部分よりも直径が大きい大径部５０ｃとされている。外筒５０ａの外周面には雄ねじが形成されている。
【００４１】
シリンダー錠５０は、前側化粧板４２の前側壁４２ａにおける上壁４２ｂと横リブ４２ｄとの間に取付けられている。前側壁４２ａには取付孔４２ｅが形成されている。シリンダー錠５０は、外筒５０ａが取付孔４２ｅを貫通するとともに大径部５０ｃの座面が前側壁４２ａの前側面に当接するように取付けられている。この状態で、外筒５０ａの外周面の雄ねじ部にナット５１を螺合させて締め付けることで、外筒５０ａが前側壁４２ａに固定されている。
【００４２】
上記シリンダー錠５０の内筒５０ｂはロック機構６０に連結されている。ロック機構６０は、上記係合部材６２と、内筒５０ｂを該係合部材６２に連結させる連結シャフト６１とを有している。
【００４３】
連結シャフト６１は、内筒５０ｂと同軸に配置されて前後方向に延びている。連結シャフト６１の前端部は、例えばキー結合により内筒５０ｂに回転一体に連結されている。連結シャフト６１の後端部は、ナット６３により係合部材６２に固定されている。
【００４４】
係合部材６２は、基端部が連結シャフト６１に固定された矩形板部（水平移動規制部）６２ａと、矩形板部６２ａの先端部に直角に接続された突出板部（上下移動規制部）６２ｂとを有している。矩形板部６２ａは、連結シャフト６１の軸心に対して垂直に配置されている。
【００４５】
そして、ロック機構６０は、シリンダー錠５０の解錠動作及び施錠動作に連動して係合部材６２をアンロック位置とロック位置との間で回転変位させる。
【００４６】
図７及び図８は、ロック機構６０の動作を説明するために、給紙カセット４０の前側化粧板４２を取外した状態を示す斜視図であり、図７は、係合部材６２がアンロック位置にある状態を示し、図８は係合部材６２がロック状態にある状態を示している。
【００４７】
図７に示すように、アンロック位置では、係合部材６２が連結シャフト６１の後端部を支点として左側に向かって水平に延びている。この状態において係合部材６２は、給紙カセット４０の上端よりも下側に収まっている。また、この状態においてシリンダー錠５０は解錠状態になっている。
【００４８】
図７の状態から、鍵穴５０ｄに鍵５２（図６参照）を挿入して図の時計回り方向に９０°回転させると、シリンダー錠５０の内筒５０ｂが鍵５２と共に回転する。
この結果、係合部材６２が、内筒５０ｂ及び連結シャフト６１と共に図７の時計回り方向に９０°回転し、係合部材６２がロック位置（図８参照）まで回転変位する。また、シリンダー錠５０は解錠状態から施錠状態に移行する。
【００４９】
図８に示すように、上記ロック位置では、係合部材６２が連結シャフト６１の後端部を支点として上側に向かって鉛直に延びている。そして、この状態では、係合部材６２の上端部が給紙カセット４０の上端位置を越えて（つまり図２の開口部３３ｂを貫通して）被係合孔１１１ｄに係合する。
【００５０】
被係合孔１１１ｄは、第一貫通孔１１１ｅと第二貫通孔１１１ｆとを有している。第二貫通孔１１１ｆは、第一貫通孔１１１ｅの左側に隣接している。第一貫通孔１１１ｅと第二貫通孔１１１ｆとは左右方向にて連続的に繋がっている。第一貫通孔１１１ｅの前後幅は、係合部材６２の矩形板部６２ａの厚みよりもやや大きく、突出板部６２ｂの前後幅（突出幅）よりも小さい。一方、第二貫通孔１１１ｆの前後幅は、突出板部６２ｂの前後幅よりも大きい。そして、第二貫通孔１１１ｆは、係合部材６２がロック位置とアンロック位置との間で回転変位する際に突出板部６２ｂの通過を許容するように形成されている。つまり、第二貫通孔１１１ｆは、係合部材６２と下側横フレーム１１１ａとの干渉を回避するための逃げ孔として機能する。
【００５１】
図８に示すように、係合部材６２の矩形板部６２ａは、該係合部材６２がロック位置にあるときには、第一貫通孔１１１ｅ内を貫通する。これにより、給紙カセット４０の前後方向の移動が矩形板部６２ａによって規制され、給紙カセット４０が引出し不能にロックされる。
【００５２】
また、係合部材６２の突出板部６２ｂは、該係合部材６２がロック位置にあるときには、第一貫通孔１１１ｅの前側縁部（周縁部の一例）に引っ掛かる（換言すると前側縁部の上側にオーバーラップする）。これにより、給紙カセット４０の下側への移動が突出板部６２ｂによって規制され、給紙カセット４０を含むオプション給紙装置２０が画像形成装置１から取り外し不能になる。
【００５３】
［オプション給紙装置２０同士の連結構成］
ここまでの説明では、係合部材６２をロック位置に位置させることで、オプション給紙装置２０を画像形成装置１（下側横フレーム１１１ａ）に対してロック可能である点を説明したが、ロック機構６０はオプション給紙装置２０同士のロックにも適用することができる。この場合、図４に示すように、被係合孔１１１ｄ（第一貫通孔１１１ｅ及び第二貫通孔１１１ｆ）と同じ形状及び配置構成を有する被係合孔３１ｅ（第一貫通孔３１ｆ及び第二貫通孔３２ｇ）を、本体ケース部３０の下側横フレーム３１ｂに形成するようにすればよい。このときのロック機構６０の動作は、図７において、画像形成装置１に設けられた下側横フレーム１１ａをオプション給紙装置２０の下側横フレーム３１ｂに置換し、被係合孔１１１ｄを下側横フレーム３１ｂに形成された被係合孔３１ｅに置換することで容易に理解できる。
【００５４】
［作用効果］
以上説明したように、本実施形態では、シリンダー錠５０を解錠状態から施錠状態に切り替えると、ロック機構６０によって給紙カセット４０が引出し不能にロックされるだけでなく、オプション給紙装置２０が画像形成装置１から取外し不能にロックされる。
【００５５】
よって、給紙カセット４０内の用紙が盗まれることを防止するだけでなく、オプション給紙装置２０が持ち運び可能な単位で取り外されて給紙装置ごと盗まれることを防止することができる。
【００５６】
また、給紙カセット４０の引出しをロックする機構と、オプション給紙装置２０を画像形成装置１にロックする機構とを一体化することで、部品点数を削減することができるとともに、いずれか一方のロックのし忘れを防止することができる。
【００５７】
また、ロック機構６０を構成する係合部材６２は、シリンダー錠５０の内筒５０ｂに回転一体に連結されている。これにより、ロック機構６０の構成を簡素化することができる。
【００５８】
また、オプション給紙装置２０の給紙カセット４０は、本体ケース部３０に対して水平方向に引き出し可能とされ、係合部材６２は、ロック位置にある状態で上貫通孔を上下方向に貫通するように形成された矩形板部６２ａと、当該状態で矩形板部６２ａに先端部から水平に突出して被係合孔１１１ｄの周縁に引っ掛かるように形成された突出板部６２ｂとを有している。
【００５９】
この構成によれば、係合部材６２の形状を簡素化しつつ、給紙カセット４０の引出しロックとオプション給紙装置２０の画像形成装置１からの取外しロックとを実現することができる。
【００６０】
また、本実施形態では、係合部材６２の矩形板部６２ａは、該係合部材６２が上記ロック位置にある状態で板幅方向が給紙カセット４０の幅方向に一致するように形成されている。
【００６１】
この構成によれば、係合部材６２に対して給紙カセット４０の引出し方向の力が作用した際に、係合部材６２に十分な受け幅を持たせることができる。
【００６２】
また、突出板部６２ｂは、矩形板部６２ａの上端縁の全縁に亘って形成されているので、オプション給紙装置２０を下側に引き剥がそうとする力に対して、係合部材６２に十分な受け幅を持たせることができる。
【００６３】
また、係合部材６２を係合させる被係合孔１１１ｄは、第一貫通孔１１１ｅと、逃げ孔として機能する第二貫通孔１１１ｆとで構成されている。このような逃げ孔を設けることによって、係合部材６２が大型化して旋回半径が大きくなった場合でも、部品間干渉を回避することができる。よって、ロック機構６０の設計自由度を高めることができる。
【００６４】
また、上記ロック機構６０は、オプション給紙装置２０同士のロックにも利用することができるので、オプション給紙装置２０を複数段に積み重ねて使用する場合に、オプション給紙装置２０の盗難を確実に防止することができる。
【００６５】
《他の実施形態》
本発明は、上記実施形態について、以下のような構成としてもよい。
上記実施形態では、鍵５２によってシリンダー錠５０の施錠状態と解錠状態とを切り替えるようにしているが、鍵は操作部２ｂから入力されるパスワード等の電子的な鍵であってもよい。この場合、パスワード認証に成功したときに、モーター等によって内筒５０ｂを所定角度回転させるようにすればよい。
【００６６】
上記実施形態の変形例として、例えば図９に示すように、オプション給紙装置２０の左側（つまり、係合部材６２が位置する側とは反対側）且つ前側（つまりボス部３３ａが位置する側とは反対側）に係合部３３ｃを追加するようにしてもよい。この場合、画像形成装置本体２には該係合部と係合する被係合部（図示省略）を設ける。これにより、係合部材６２がロック位置にある場合の、画像形成装置１に対するオプション給紙装置２０のロック性をさらに高めることができる。
【００６７】
さらに上記実施形態の変形例として、図１０に示すように、係合部材６２を給紙カセット４０の幅方向の中央部に配置するようにしてもよい。この場合、被係合孔１１１ｄ及び被係合孔３１ｅは、給紙カセット４０の幅方向の中央部に対応する箇所に配置すればよい。
【００６８】
この構成によれば、係合部材６２によって、オプション給紙装置２０を画像形成装置１にロックする際の拘束力を左右均等にすることができる。よって、オプション給紙装置２０を画像形成装置１から強引に取り外そうとする行為を確実に防止することができる。
【００６９】
また、上記実施形態において、連結シャフト６１を廃止して、シリンダー錠５０の内筒５０ｂを直接、係合部材６２に連結するようにしてもよい。
【産業上の利用可能性】
【００７０】
以上説明したように、本発明は、給紙装置及び画像形成装置について有用である。
【符号の説明】
【００７１】
１        ：画像形成装置
２０      ：オプション給紙装置
３１ｂ    ：下側横フレーム
３１ｅ    ：被係合孔
３１ｆ    ：第一貫通孔
３２ｇ    ：第二貫通孔
４０      ：給紙カセット
５０      ：シリンダー錠
５０ａ    ：外筒
５０ｂ    ：内筒
５０ｄ    ：鍵穴
５２      ：鍵
６０      ：ロック機構
６１      ：連結シャフト
６２      ：係合部材
６２ａ    ：矩形板部（水平移動規制部）
６２ｂ    ：突出板部（上下移動規制部）
１１１ｄ  ：被係合孔
１１１ｅ  ：第一貫通孔
１１１ｆ  ：第二貫通孔
【図１】
2020117385.tif 000003
【図２】
2020117385.tif 000004
【図３】
2020117385.tif 000005
【図４】
2020117385.tif 000006
【図５】
2020117385.tif 000007
【図６】
2020117385.tif 000008
【図７】
2020117385.tif 000009
【図８】
2020117385.tif 000010
【図９】
2020117385.tif 000011
【図１０】
2020117385.tif 000012